(57)【要約】【課題】  排水管を配管する際に、容易に勾配調節ができ、かつ、容易に支持・脱着可能で、さらに卵形管をも支持できる配管支持具を提供することを目的とする。【解決手段】  スライド型配管支持具１は、スライド軸１１と卵形管用スライド架台１２とから構成される。スライド軸１１は、補強板１１２を用いて底板１１３に固定される。卵形管用スライド架台１２は、スライド軸１１表面の固定溝１１１に歯合される固定用つまみ１２１を備え、また、卵形管２を固定する樹脂製のサドルバンド１２２を備える。サドルバンド１２２は、端部に卵形管用スライド架台１２と着脱可能に嵌合されるサドルバンドつまみ１２３を有し、他の端部はサドルバンド固定爪１２４によって卵形管用スライド架台１２に固定される。なお、底板１１３には固定釘用穴１１４と他の配管支持具と連結可能な連結用爪１１５が備わる。上述の構成によって、卵形管用スライド架台１２は上下にスライド可能であり、望む高さに固定することができる。【選択図】図１
2012007721.tif 000002
【特許請求の範囲】
【請求項１】
床下配管を基礎コンクリート（８）等に固定するための配管支持具であって、
固定溝（１１１）を有するスライド軸（１１）と、
前記固定溝に歯合する爪を有する固定用つまみ（１２１）を備え、サドルバンド（１２２）により配管を保持するスライド架台（１２）と、
基礎コンクリート等と当接され、前記スライド軸と補強板（１１２）を伴って連接される底板（１１３）とを備えることを特徴とする配管支持具。
【請求項２】
前記固定溝は、前記スライド架台の移動方向に断面略鋸歯形状の溝を左右２列備え、一方の溝は前記固定用つまみの下降防止のための水平部を備え、他の溝は該固定用つまみの上昇防止のための水平部を備えることを特徴とする請求項１に記載の配管支持具。
【請求項３】
前記底板は、他の配管支持具と連結可能な連結用爪（１１５）を両端部に備えていることを特徴とする請求項１又は２に記載の配管支持具。
【請求項４】
床下配管を基礎コンクリート（８）等に固定するための配管支持具であって、
高さの異なる複数のスペーサー（５）と、前記スペーサー上に嵌合され、サドルバンド（６１）により配管を保持する架台（６）と、を備えることを特徴とする配管支持具。
【請求項５】
前記配管は、卵形管であることを特徴とする請求項１〜４いずれかに記載の配管支持具。
【発明の詳細な説明】
【技術分野】
【０００１】  本発明は配管支持具に係り、特に、形状、大きさの異なる配管を容易に着脱可能であって、かつ、配管勾配の調節が可能な配管支持具に関するものである。
【背景技術】
【０００２】  住宅やアパート等の床下配管は、概ね床下転がし配管をしている。配管材を支持する場合、通常、排水管には金属製フロアーバンドが用いられる（例えば、特許文献１及び非特許文献１参照。）。また、給水管及び給湯管は金属製サドルバンドで支持される場合が多く、排水管、給水管及び給湯管は、それぞれバラバラに配管されている。一方、近年では節水型便器の使用が増えており、従来の円形管に放流した場合には、水が少ないために汚物がパイプ内部に滞ることがある。このような背景から、汚物を滞りなく完全に流すために卵形管で施工される例が増えている。しかし、卵形管はその形状と大きさなどから、建屋内部に配管する事が困難である。
【先行技術文献】
【特許文献】
【０００３】
【特許文献１】特開平８−１４５２４０号公報
【非特許文献】
【０００４】
【非特許文献１】株式会社アカギ著作「フロアーバンドの概念」
【発明の概要】
【発明が解決しようとする課題】
【０００５】  一般に、給排水管の敷設は、施主あるいは建築業者の都合で、位置変更、機種変更又は追加など、建築中に変更になることが多々あり、事前に配管していてもやり直しが必要になる場合が多い。このような状況において、金属製フロアーバンドは、勾配調節するボルトが鉄で出来ているため、管材の支持後に余ったボルトを切断しなければ、床下点検・修理時の負傷につながり危険である。また、勾配調整の際に、支点であるボルトを長いものに交換する必要がある。また、サドルバンドを用いる場合、配管の移動の際にはバンド全体を外し、固定には木ビスやコンクリート釘で止める必要があり、作業性が著しく悪い。また、配管のサイズごとにバンドを調達しなければならず、在庫管理に手間がかかるという問題がある。さらに、上述したように、排水管、給水管及び給湯管は、それぞれバラバラに配管されており、作業性が著しく悪い。【０００６】  本発明は、上記問題点に鑑み、排水管を配管する際に、容易に勾配調節ができ、かつ、容易に支持・脱着可能で、さらに卵形管をも支持できる配管支持具を提供することを目的とする。
【課題を解決するための手段】
【０００７】  上記課題を解決するために、本発明の第１手段は、床下配管を基礎コンクリート８等に固定するための配管支持具であって、固定溝１１１を有するスライド軸１１と、前記固定溝に歯合する爪を有する固定用つまみ１２１を備え、サドルバンド１２２により配管を保持するスライド架台１２と、基礎コンクリート等と当接され、前記スライド軸と補強板１１２を伴って連接される底板１１３とを備えることを特徴とする。【０００８】  また、第２手段は、第１手段に記載の配管支持具であって、前記固定溝は、前記スライド架台の移動方向に断面略鋸歯形状の溝を左右２列備え、一方の溝は前記固定用つまみの下降防止のための水平部を備え、他の溝は該固定用つまみの上昇防止のための水平部を備えることを特徴とする。【０００９】  また、第３手段は、第１又は第２手段に記載の配管支持具であって、前記底板は、他の配管支持具と連結可能な連結用爪１１５を両端部に備えていることを特徴とする。【００１０】  また、第４手段は、床下配管を基礎コンクリート８等に固定するための配管支持具であって、高さの異なる複数のスペーサー５と、前記スペーサー上に嵌合され、サドルバンド６１により配管を保持する架台６と、を備えることを特徴とする。【００１１】  また、第５手段は、第１〜第４手段いずれかに記載の配管支持具であって、前記配管は、卵形管であることを特徴とする。
【発明の効果】
【００１２】  本発明により、排水管、給水管及び給湯管を容易に支持でき、床下などの狭いスペースでも作業が容易であり、取り外し可能で、支持もしっかりとでき、勾配調整が簡単にできる。また、本発明によれば、節水トイレ用の卵形管も支持することが出来る。さらに、給水管、給湯管及び排水管を、一体的に連結する事も可能となり、見た目も奇麗に出来る。長期優良住宅の需要が高まる昨今、数十年後に配管の付け替えが可能であることにより、高い住宅性能等級が取得できる利点もある。
【図面の簡単な説明】
【００１３】
【図１】  スライド型配管支持具を卵形管に適用した場合の（ａ）正面図、（ｂ）上面図である。
【図２】  スライド軸固定溝の（ａ）正面図、（ｂ）Ａ−Ａ断面図、（ｃ）Ｂ−Ｂ断面図である。
【図３】  スライド型配管支持具を円形管及び給水、給湯管に適用する場合の正面図である。
【図４】  配管勾配調整のためのスペーサーの正面図である。
【図５】  スペーサー型配管支持具を卵形管及び給水、給湯管に適用する場合の正面図である。
【図６】  スペーサー型配管支持具を円形管及び給水、給湯管に適用する場合の正面図である。
【発明を実施するための形態】
【００１４】  本配管支持具は、床下などの狭小スペースにおいて、作業上の安全性、施工上の容易性、システム化を追求したものであり、節水型便器に用いられる汚物の滞りを防止するための卵形管にも適用することができる。
【実施例１】
【００１５】  以下、図面に従って実施例を説明する。図１はスライド型配管支持具１を卵形管２に適用した場合である。なお、図１以下いずれの図に示した寸法（単位：ｍｍ）は一例であって、本発明は当該寸法に限定されるものではない。樹脂製のスライド型配管支持具は、スライド軸１１と卵形管用スライド架台１２とから構成される。スライド軸１１は、補強板１１２を用いて底板１１３に固定される。卵形管用スライド架台１２は、スライド軸１１表面の固定溝１１１に歯合される固定用つまみ１２１を備え、また、卵形管２を固定する樹脂製のサドルバンド１２２を備える。サドルバンド１２２は、端部に卵形管用スライド架台１２と着脱可能に嵌合されるサドルバンドつまみ１２３を有し、他の端部はサドルバンド固定爪１２４によって卵形管用スライド架台１２に固定される。なお、底板１１３には固定釘用穴１１４と他の配管支持具と連結可能な連結用爪１１５が備わる。上述の構成によって、卵形管用スライド架台１２は上下にスライド可能であり、望む高さに固定することができる。
なお、本実施例の場合、スライド架台１２の上部水平部が約１００〜２００ｍｍの範囲で調整可能である。【００１６】  図２はスライド軸１１表面に備わる固定溝１１１の詳細を示している。正面図（ａ）に示すように、平行する２列の溝が１．８ｍｍピッチで切られており、片側（（ｂ）に断面を示す。）は固定用つまみ１２１の下降防止のための水平部（奥行：０．５ｍｍ）を備え、他の片側（（ｃ）に断面を示す。）は固定用つまみ１２１の上昇防止のための水平部を備える。この機構により、管材の反発による力によらずスライド架台１２の高さを安定保持できる。【００１７】  図３は、スライド型配管支持具１を円形管３及び給水、給湯管７に適用する場合の正面図である。円形管の支持構成は図１の卵形管の場合と同じである。給水、給湯管７の支持には、連結用爪１１５によって連結された給水給湯管用支持架台４を用いる。構成は、連結溝４３、樹脂性バンドを固定する固定用つまみ４２、固定釘用穴４４、及び、給水、給湯管７を固定するスライド溝４１を有する樹脂バンドよりなる。スライド溝４１の位置取りにより径の異なる配管を固定可能である。
【実施例２】
【００１８】  以下、スペーサー型配管支持具について図を用いて説明する。図４は、配管勾配調整のためのスペーサーの正面図である。スペーサー５は、１０ｍｍから５０ｍｍまでの１０ｍｍ刻みの、高さの異なるスペーサー（５１等）よりなり、望む高さにより各スペーサーを組み合わせて用いる。スペーサーにはスペーサー連結用爪（５１１等）が備わる。底板５７には、他の支持具との連結用爪５７１と固定釘用穴５７２が備わる。【００１９】  スペーサー型配管支持具を、卵形管２及び保温付架橋ポリエチレン管である給水、給湯管７に適用する場合を図５に、円形管３及び給水、給湯管７に適用する場合を図６に示す。架台６を変えることで、卵形管、円形管いずれも支持でき、高さは架台６の上部水平部で約１００〜２００ｍｍの範囲で調整できる。配管経路に樹脂バンドをビス及びコンクリート釘などで固定し、数系統配管が重なる場合は、連結して両端２箇所留めるだけで支持固定が出来る。従来工法では、配管一本につき２本の釘で固定していたが、本実施例では、配管数が増えた場合でも、４本の釘で固定でき、工程数が削減できる。
【符号の説明】
【００２０】  １    …スライド型配管支持具
１１  …スライド軸
１１１…固定溝
１１２…補強板
１１３…底板
１１４…固定釘用穴
１１５…連結用爪
１２  …スライド架台
１２１…固定用つまみ
１２２…サドルバンド
１２３…サドルバンドつまみ
１２４…サドルバンド固定爪
２    …卵形管
３    …円形管
４    …給水給湯管用支持架台
４１  …スライド溝
４２  …固定用つまみ
４３  …連結溝
４４  …固定釘用穴
５    …スペーサー
５１  …スペーサー（高さ５０ｍｍ）
５１１…スペーサー連結用爪
６    …架台
６１  …サドルバンド
６２  …サドルバンドつまみ
７    …給水、給湯管
８    …基礎コンクリート
【図１】
2012007721.tif 000003
【図２】
2012007721.tif 000004
【図３】
2012007721.tif 000005
【図４】
2012007721.tif 000006
【図５】
2012007721.tif 000007
【図６】
2012007721.tif 000008